【手続補正書】
【提出日】平成19年7月26日(2007.7.26)
【手続補正１】
【補正対象書類名】特許請求の範囲
【補正対象項目名】全文
【補正方法】変更
【補正の内容】
【特許請求の範囲】
【請求項１】
掘削用のバケットのための摩耗アセンブリであって、掘削用のバケットに固定するためのアダプタと、摩耗部材と、この摩耗部材を前記アダプタに保持させるロックとを具備し、前記アダプタは、突出部を有し、前記摩耗部材は、前記突出部を収容するためのソケットを有し、また、前記突出部およびソケットの各々は、前端部に向って夫々収束する収束性壁と、互いに対向した側壁とを有し、また、前記突出部は、前記側壁に夫々沿って延びている第１並びに第２のレールを有し、第１のレールは、前記収束性壁の一方とほぼ同じ方向に向って傾斜し、第２のレールは、前記収束性壁の他方とほぼ同じ方向に向って傾斜し、そして、前記ソケットは、前記第１並びに第２のレールをそれぞれ収容する複数の溝を有する摩耗アセンブリ。
【請求項２】
前記ソケットの各側壁は、前記レールと係合するための夫々の溝の一部として、収束性壁の間に側方面を有し、前記各側方面は、前記収束性壁のうちの一方と対向し、かつ前記長手方向軸に対して、収束性壁が面する側方面と略同じ傾斜方向に延びている請求項１に記載の摩耗アセンブリ。
【請求項３】
前記ソケットの各側壁は、前記突出部の相補的な側壁と係合するように、同じ側壁の前記側方面以外の、収束性壁の一方に対向する側壁支持面を有する請求項２に記載の摩耗アセンブリ。
【請求項４】
前記各側面支持面は、これがソケットの開口端に延びるのに従って広くなっている請求項３に記載の摩耗アセンブリ。
【請求項５】
各側方支持面は、これの全長に沿って対向している前記収束性壁から均等に離間されている請求項２に記載の摩耗アセンブリ。
【請求項６】
各側方支持面は、対向する前記収束性壁に対して横方向に鋭角になっている請求項５に記載の摩耗アセンブリ。
【請求項７】
前記ソケットの先端部は、前記突出部の相補的な平坦部と係合するように前記側壁間で延びている互いに対向した平坦部を有し、そして、これら平坦部の各々は、ソケットの長手方向軸にほぼ平行に延びている請求項１に記載の摩耗アセンブリ。
【請求項８】
前記突出部の側壁は、これらが突出部の自由端部に向って延びているのに従って広がっている請求項１に記載の摩耗アセンブリ。
【請求項９】
前記摩耗部材は、地面と係合するための細い前端部と、前記ソケットの長手方向軸と位置合わせされた平面の両側から広がり、前記細い前端部に沿って延びている一組の溝とを有する請求項１に記載の摩耗アセンブリ。
【請求項１０】
前記溝は、ソケットの先端部のところで前記平面に沿って互いに位置合わせされている請求項９に記載の摩耗アセンブリ。
【請求項１１】
前記溝の各々は、長さ方向に沿って一定の幅と深さとを有している請求項１に記載の摩耗アセンブリ。
【請求項１２】
前記各溝とレールとの各々は、線形である請求項１に記載の摩耗アセンブリ。
【請求項１３】
前記溝とレールとは、設置するとき及び前記突出部から取り外すときに、前記摩耗部材をこれの長手方向軸周りに回転させるように設定されている請求項１２に記載の摩耗アセンブリ。
【請求項１４】
１つのみのレールが、前記突出部の各側壁に形成されている請求項１に記載の摩耗アセンブリ。
【請求項１５】
前記ソケットは、これの長さの少なくとも一部にわたって、略Ｚ字状の断面形状を有する請求項１に記載の摩耗アセンブリ。
【請求項１６】
前記突出部は、ロックを収容する溝を有し、また、この溝とロックとは、各々これの長さに沿って徐々に狭くなっている請求項１に記載の摩耗アセンブリ。
【請求項１７】
前記溝は、閉塞端部を有し、かつ前記突出部を通って部分的にのみ延びている請求項１６に記載の摩耗アセンブリ。
【請求項１８】
前記摩耗部材は、前方掘削刃を有する先端部である請求項１に記載の摩耗アセンブリ。
【請求項１９】
リップ部と、このリップ部に固定されている突出部とを具備する掘削用のバケットのための摩耗部材であって、この摩耗部材は、細い前端部を形成するように、収束した一組の収束性壁と、一組の側壁と、前記突出部を受けるための後方に開口したソケットとを具備し、このソケットは、前記収束性壁の収束性面と前記側壁の側面とにより規定され、前記収束性面は、前端部に向って収束しており、また、前記ソケットは、前記突出部に形成されたレールを収容するための前記側面の各々に沿った溝を有し、これら溝の第１の溝は、前記収束性面の一方と同じ方向に向って傾斜し、また、これら溝の第２の溝は、前記収束性面の他方と同じ方向に向かって傾斜している摩耗部材。
【請求項２０】
前記各側壁は、前記レールと係合する前記溝の部分を構成するように前記収束性面の間に側方面を有し、各側方面は、前記収束性面のうちの一方と対向し、かつ前記ソケットの長手方向軸に対して、側方面が面する収束性面と同じ傾斜方向に延びている請求項１９に記載の摩耗部材。
【請求項２１】
前記ソケットの各側壁は、同じ側の前記側方面以外の、収束性面の他方に対向する側壁支持面を有する請求項２０に記載の摩耗部材。
【請求項２２】
前記各側壁支持面は、これが後方に延びるのに従って広くなっている請求項２１に記載の摩耗部材。
【請求項２３】
各側方支持面は、これが対向している前記収束性面から均等に離間されている請求項２０に記載の摩耗部材。
【請求項２４】
各側方面は、対向する前記収束性面に対して横方向に鋭角になっている請求項２０に記載の摩耗部材。
【請求項２５】
摩耗部材は、細い前端部を有し、また、前記側方面は、前記ソケットの長手方向軸と位置合わせされた平面の両側から広がり、前記細い前端部に沿って延びている請求項１９に記載の摩耗部材。
【請求項２６】
前記収束性面の一方は、前記溝の第１の部分を形成し、また、収束性面の他方は、溝の第２の部分を形成している請求項１９に記載の摩耗部材。
【請求項２７】
前記ソケットの前端部は、前記側壁間で延び、互いに対向した平坦部を有し、これら平坦部の各々は、前記ソケットの長手方向軸と略平行に延びている請求項１９に記載の摩耗部材。
【請求項２８】
前記ソケットは、これの長さの少なくとも一部にわたって、略Ｚ字状の断面形状を有する請求項１９に記載の摩耗部材。
【請求項２９】
前記ソケットは、前記レールを収容するように、前記側壁の各々に１つのみの溝を有している請求項１９に記載の摩耗部材。
【請求項３０】
前記溝は、線形である請求項１９に記載の摩耗部材。
【請求項３１】
前記溝とレールとは、設置するとき及び前記突出部から取り外すときに、摩耗部材をこれの長手方向軸周りに回転させるように設定されている請求項１９に記載の摩耗部材。
【請求項３２】
前掘削刃を備えた先端部である請求項１９に記載の摩耗部材。
【請求項３３】
掘削機に固定され、掘削刃から前端部へと前方に延びた突出部を与えることであって、この突出部は、先端部に向かって収束する第１並びに第２の壁部と、これら第１の壁部と第２の壁部とを接続している一組の対向側壁とを有し、これら側壁は、夫々第１並びに第２のレールを備えており、第１のレールは、前記第１の壁部とほぼ同じ方向に向って傾斜されており、また、第２のレールは、前記第２の壁部とほぼ同じ方向に向って傾斜されており、これらレールの各々は、外側面を有している、ことと、
互いに対向した収束性壁と、互いに対向した側壁とを備えたソケットを有する磨耗部材を与えることと、
（ｉ）前記収束性壁の各々が、突出部の第１並びに第２の壁部の各々と係合するように、また、（ｉｉ）前記側壁の各々が、前記各レールの外側面と係合するように、そして、（ｉｉｉ）突出部と磨耗部材とが、一緒になって開口を規定するように、前記突出部がソケットの中へと挿入されて、突出部に対して磨耗部材を位置させることと、
を具備する、掘削機への磨耗部材の装着方法。
【請求項３４】
前記突出部のレールの各々は、前記第１並びに第２の壁部各々にほぼ平行な横方向面を有し、また、前記磨耗部材は、前記各側壁が、各レールの前記横方向面とも係合するように、突出部材に位置される請求項３３に記載の装着方法。
【請求項３５】
前記開口は、開口端を有し、この開口端を通って、先が細くなったロックが挿入され、また、前記開口は、前記開口端から離れるのに従って狭くなっており、そして、前記ロックは、工具により前記開口の中へと挿入される請求項３３もしくは３４に記載の装着方法。
【請求項３６】
掘削用のバケットのための磨耗アセンブリであって、
この摩耗アセンブリを掘削用のバケットに保持させるための後方取付け端部と、長手方向軸、一組の側壁、前端部に向けてそれぞれ収束するこれら側壁間の収束性壁、並びに、前記各側壁に関連したレールを有する、前方に延びた突出部とを備え、各レールは、各側壁から内方に延びる側方面を有し、この側方面は、前記突出部の長手方向軸に沿って延びる水平面に対して軸方向に傾斜し、また、各レールは、前記収束性壁の一方とそれぞれの側方面とにより両側が規定されている、アダプタと、
細い前方作用端部へ延びている一組の収束性壁と、一組の側壁と、前記突出部を収容し、後方に開口したソケットとを有し、このソケットは、前記突出部の収束性壁を覆うようになっている収束性壁と、前記突出部の側壁を覆うようになっている側壁と、前記レールを収容するようにソケットの各側壁に関連した溝とにより規定され、各溝は、受け入れられたレールの側方面に支持されるようになっている側方面を有し、この側方面は、前記水平面に対して軸方向に傾斜し、また、各溝は、前記収束性壁の一方とそれぞれの側方面とにより両側が規定されている、摩耗部材と、
この摩耗部材を前記アダプタに保持させるロックとを具備する摩耗アセンブリ。
【請求項３７】
前記ソケットの前端部が、ソケットの側壁間で延びている互いに対向した前方支持面を有し、各前方支持面は、前記長手方向軸と略平行に延びている、請求項３６の磨耗部材。
【請求項３８】
前記溝の各々は、ほぼ全長に沿って実質的に一定の幅と深さとを有している請求項３６に記載の摩耗アセンブリ。
【請求項３９】
前記溝は、前記磨耗部材の側壁に沿ってほぼ位置合わせされた実質的に平行な面に沿って延びている請求項３６に記載の磨耗アセンブリ。
【請求項４０】
前記磨耗部材は先端部であり、前記細い作用端部は堀削刃である、請求項３６に記載の磨耗アセンブリ。
【請求項４１】
掘削用のバケットのリップ部のための磨耗部材であって、
一組の側壁と、これら側壁間の一組の収束性壁と、掘削用のバケットに取着されたアダプタの突出部を収容するための後方に開口したソケットとを具備し、このソケットは、前記突出部の収束性壁を覆うようになっている収束性壁と、前記突出部の側壁を覆うようになっている側壁と、前記アダプタの突出部のレールを収容するために前記ソケットの側壁の各々に形成された溝とにより規定され、各溝は、前記ソケットの長手方向軸に沿って延びる水平面に対して軸方向に傾斜し、また、各溝は、前記収束性壁の一方と、それぞれの側方面とにより両側が規定されている、磨耗部材。
【請求項４２】
前記ソケットの前端部は、ソケットの側壁間で延びている互いに対向した前方支持面を有し、これら前方支持面の各々は、長手方向軸と略平行に延びている、請求項４１に記載の磨耗部材。
【請求項４３】
前記各溝は、ほぼ全長に沿って実質的に一定の幅と深さとを有している、請求項４１に記載の磨耗部材。
【請求項４４】
前記溝は、前記側壁に沿ってほぼ位置合わせされた実質的に平行な面に沿って延びている請求項４１に記載の磨耗アセンブリ。
【請求項４５】
前記磨耗部材は先端部であり、前記細い作用端部は堀削刃である、請求項４１に記載の磨耗アセンブリ。
【請求項４６】
前端部と、
堀削用のバケットに固定された突出部を収容するように開口後端部を備え、収束面、側壁、前面、および前記開口後端部によって規定され、長手方向軸を有しているソケットと、
ソケットの前面と開口後端部との間で前記側壁の一方に沿って位置付けられ、前記収束面の一方に概して向かう方向に面している側方面とを具備しており、
この側方面は、使用時に磨耗部材の前端部にかけられる所定の負荷に応じて突出部上へと後方に磨耗部材を引っ張る傾向のある成分を有する抵抗力を生じるように長手方向の軸に対して軸方向に傾斜し、また、前記側方面は、対応した側壁に対して鋭角で横方向に向けられている、磨耗部材。
【請求項４７】
前記側方面は、この側方面が概して面する収束面とほぼ同じ方向に、長手方向軸に対して傾斜している、請求項４６に記載の磨耗部材。
【請求項４８】
前記側方面は、前記ソケットの側壁の一方に沿って延びている、請求項４６もしくは４７に記載の磨耗部材。
【請求項４９】
前記各側壁に沿って１つの側方面を更に具備している請求項４６ないし４８のいずれか１に記載の摩耗部材。
【請求項５０】
前記側方面の第１および第２の側方面は、互いに対向した側壁に沿っている、請求項４９の磨耗部材。
【請求項５１】
前記側方面の各々は、前記前面からソケットの後端部まで延びている、請求項４６ないし５０のいずれか１に記載の磨耗部材。
【請求項５２】
掘削用のバケットのリップに固定された突出部と、
前端部と、収束面、側面、前面、並びに、前記開口後端部により規定され、長手方向軸を有し、前記突出部を収容する開口後端部を有したソケットと、このソケットの前面と開口後端部との間で前記側面の一方に沿って位置された側方面とを備え、この側方面は、前記収束面の一方に向かう方向に面し、この側方面は、使用時に磨耗部材の前端部にかけられる所定の負荷に応じて突出部上へと後方に磨耗部材を引っ張る傾向のある成分を有する抵抗力を生じるように長手方向の軸に対して軸方向に傾斜し、また、前記側方面は、対応した側面に対して鋭角で横方向に向けられている、磨耗部材と、
この磨耗部材を前記突出部に着脱可能に保持させるロックとを具備している磨耗アッセンブリ。
【請求項５３】
前記突出部は、前記磨耗部材の側方面の各々と係合するための側方面を有している、請求項５２の磨耗アセンブリ。
【請求項５４】
前記突出部の側方面の各々は、突出部の側面に沿って延びている、請求項５３の磨耗アセンブリ。
【請求項５５】
前記突出部の側方面の各々は、互いに係合する磨耗部材の側方面と同じ方向に、長手方向軸に対して傾斜している、請求項５３もしくは５４の磨耗アセンブリ。
【請求項５６】
前記側方面の第１の側方面は、前記収束面の第１の収束面に対面し、前記側方面の第２の側方面は、前記収束面の第２の収束面に対面している、請求項５２の摩耗部材。